(57)【要約】  円筒体から材料を分配する際に使用するためのセルフベンティング可動シールおよびプランジャアセンブリを開示する。アセンブリは、セルフベンティング可動シールおよびプランジャチップを含み、プランジャチップは可動シールのプランジャチップポケット内に着座して、可動シールのベント部を塞ぐ。アセンブリを使用して材料を分配する方法も開示する。
2005514117.tif 000002
【特許請求の範囲】
【請求項１】
中空円筒体に材料が充填されている間に、閉じ込められた流体を前記中空円筒体から逃す方法であって、
第１開口部および第２開口部を含む中空円筒体を提供するステップと、
ベント部およびプランジャチップポケットを含むシールを提供するステップと、
少なくとも一つのベント溝を含むプランジャチップを提供するステップと、
前記シールを前記中空円筒体に挿入するステップであって、ボリューム部は、前記中空円筒体内の、前記シールと前記中空円筒体の前記第２開口部との間に画定され、かつさらに前記ボリューム部は流体を含有する、ステップと、
前記中空円筒体の前記第２開口部を介して、前記中空円筒体に前記材料を充填するステップであって、前記材料が前記ボリューム部を占めるにつれて、前記ボリューム部内の前記流体が前記シールの前記ベント部を介して逃される、ステップと、
前記中空円筒体の前記第１開口部を介して、前記プランジャチップを前記中空円筒体に挿入するステップと、
前記プランジャチップを前記シールの前記プランジャチップポケット内に着座させるステップであって、前記プランジャチップは、前記プランジャチップが前記プランジャチップポケット内に着座されるとき前記ベント部を塞ぎ、かつさらに前記プランジャチップポケット内の流体は、前記プランジャチップが前記プランジャチップポケット内に着座されている間に、前記プランジャチップの前記少なくとも一つのベント溝を介して逃げる、ステップとを含む、方法。
【請求項２】
前記プランジャチップが前記プランジャチップポケット内に着座されるとき、前記プランジャチップは、前記シールの前記プランジャチップポケットに係止する、請求項１に記載の方法。
【請求項３】
前記プランジャチップおよび前記シールを伸縮させるステップをさらに含み、それにより負圧が前記ボリューム部内に生じる、請求項２に記載の方法。
【請求項４】
前記シールは、前記ボリューム部に隣接する凹面をさらに含む、請求項１に記載の方法。
【請求項５】
前記ベント部は、前記シールの前記凹面の中央に近接して位置決めされる、請求項４に記載の方法。
【請求項６】
前記シールは、少なくとも一対の保持プラグ差込口をさらに含み、かつさらに前記プランジャチップは、少なくとも一対の保持プラグをさらに含む、請求項１に記載の方法。
【請求項７】
前記プランジャチップを前記シールの前記プランジャチップポケット内に着座させるステップは、前記プランジャチップの前記少なくとも一対の保持プラグを、前記シールの前記少なくとも一対の保持プラグ差込口に挿入するステップをさらに含む、請求項６に記載の方法。
【請求項８】
中空円筒体に材料を充填している間に、閉じ込められた流体を前記中空円筒体から逃す方法であって、
第１開口部および第２開口部を含む中空円筒体を提供するステップと、
ベント部およびプランジャチップポケットを含むシールを提供するステップと、
少なくとも一つのベント溝を含むプランジャチップを提供するステップと、
前記中空円筒体に前記材料を充填するステップと、
前記シールを前記中空円筒体に挿入するステップであって、ボリューム部は、前記中空円筒体内の、前記シールと前記中空円筒体の前記第２開口部との間に画定され、前記ボリューム部は流体を含有し、かつさらに前記ボリューム部内の前記流体は、前記シールが前記中空円筒体に挿入されるにつれて、前記シールの前記ベント部を介して逃される、ステップと、
前記中空円筒体の前記第１開口部を介して、前記プランジャチップを前記中空円筒体に挿入するステップと、
前記プランジャチップを前記シールの前記プランジャチップポケット内に着座させるステップであって、前記プランジャチップは、前記プランジャチップが前記プランジャチップポケット内に着座されるとき前記ベント部を塞ぎ、かつさらに前記プランジャチップポケット内の流体は、前記プランジャチップが前記プランジャチップポケット内に着座されている間に、前記プランジャチップの前記少なくとも一つのベント溝を介して逃げる、ステップとを含む、方法。
【請求項９】
前記プランジャチップが前記プランジャチップポケット内に着座されるとき、前記プランジャチップは、前記シールの前記プランジャチップポケットに係止する、請求項８に記載の方法。
【請求項１０】
前記プランジャチップおよび前記シールを伸縮させるステップをさらに含み、それにより負圧が前記ボリューム部内に生じる、請求項９に記載の方法。
【請求項１１】
前記シールは、前記ボリューム部に隣接する凹面をさらに含む、請求項８に記載の方法。
【請求項１２】
前記ベント部は、前記シールの前記凹面の中央に近接して位置決めされる、請求項１１に記載の方法。
【請求項１３】
前記シールは、少なくとも一対の保持プラグ差込口をさらに含み、かつさらに前記プランジャチップは、少なくとも一対の保持プラグをさらに含む、請求項８に記載の方法。
【請求項１４】
前記プランジャチップを前記シールの前記プランジャチップポケット内に着座させるステップは、前記プランジャチップの前記少なくとも一対の保持プラグを、前記シールの前記少なくとも一対の保持プラグ差込口に挿入するステップをさらに含む、請求項１３に記載の方法。
【請求項１５】
セルフベンティング可動シールおよびプランジャアセンブリであって、
第１開口部および第２開口部を含む中空円筒体と、
可動シールであって、
プランジャチップポケットと、
第１端部および第２端部であって、ボリューム部は、前記可動シールが前記中空円筒体内に位置決めされるとき、前記中空円筒体内の、前記シールの前記第２端部と前記中空円筒体の前記第２開口部との間に画定される、第１端部および第２端部と、
前記プランジャチップポケットと前記可動シールの前記第２端部との間を延びるベント部であって、前記プランジャチップポケットは、前記可動シールが前記中空円筒体内に位置決めされるとき前記ボリューム部と流体連通している、ベント部とを含む、可動シールと、
少なくとも一つのベント溝を含むプランジャチップであって、前記プランジャチップは、前記可動シールの前記プランジャチップポケット内に着座されるように構成され、前記プランジャチップは、前記プランジャチップが前記プランジャチップポケット内に着座されるとき前記可動シールの前記ベント部を塞ぎ、かつさらに前記プランジャチップポケット内の流体は、前記プランジャチップが前記プランジャチップポケット内に着座されるにつれて、前記プランジャチップの前記少なくとも一つのベント溝を介して逃げる、プランジャチップとを含む、アセンブリ。
【請求項１６】
前記プランジャチップは、前記シールの前記プランジャチップポケットに係止するように構成される、請求項１５に記載のアセンブリ。
【請求項１７】
前記シールは、前記少なくとも一対の保持プラグ差込口をさらに含み、かつさらに前記プランジャチップは、前記シールの前記少なくとも一対の保持プラグ差込口に嵌合するように構成される少なくとも一対の保持プラグをさらに含む、請求項１５に記載のアセンブリ。
【請求項１８】
前記シールの前記第２端部は、凹面を含む、請求項１５に記載のアセンブリ。
【請求項１９】
前記ベント部は、前記シールの前記第１端部の前記凹面の中央に近接して位置決めされる、請求項１８に記載のアセンブリ。
【請求項２０】
セルフベンティング可動シールおよびプランジャアセンブリであって、
第１開口部および第２開口部を含む中空円筒体と、
可動シールであって、
プランジャチップポケットと、
第１端部および第２端部であって、ボリューム部は、前記可動シールが前記中空円筒体内に位置決めされるとき、前記円筒中空体内の、前記シールの前記第２端部と前記中空円筒体の前記第２開口部との間に画定される、第１端部および第２端部と、
前記プランジャチップポケットと前記可動シールの前記第２端部との間を延びるベント部であって、前記プランジャチップポケットは、前記可動シールが前記中空円筒体内に位置決めされるとき、前記ボリューム部と流体連通している、ベント部と、
少なくとも一対の保持プラグ差込口とを含む、可動シールと、
プランジャチップであって、
少なくとも一つのベント溝と、
少なくとも一対の保持プラグであって、前記プランジャチップは、前記可動シールの前記プランジャチップポケット内に着座されるように構成され、前記プランジャチップは、前記プランジャチップが前記プランジャチップポケット内に着座されるとき前記可動シールの前記ベント部を塞ぎ、前記プランジャチップポケット内の流体は、前記プランジャチップが前記プランジャチップポケット内に着座されるにつれて、前記プランジャチップの前記少なくとも一つのベント溝を介して逃げ、かつさらに前記少なくとも一対の保持プラグは、前記可動シールの前記少なくとも一対の保持プラグ差込口に嵌合するように構成される、少なくとも一対の保持プラグとを含む、プランジャチップとを含む、アセンブリ。
【請求項２１】
前記プランジャチップは、前記シールの前記プランジャチップポケットに係止するように構成される、請求項２０に記載のアセンブリ。
【請求項２２】
前記シールの前記第２端部は、凹面を含む、請求項２０に記載のアセンブリ。
【請求項２３】
前記ベント部は、前記シールの前記第１端部の前記凹面の中央に近接して位置決めされる、請求項２２に記載のアセンブリ。
【発明の詳細な説明】
【技術分野】
【０００１】
本発明は、シリンジの分野に関し、より詳細には、シリンジプランジャに関する。
【背景技術】
【０００２】
シリンジは、典型的には中空円筒体を形成するバレルおよび中空円筒体内に位置決めされるプランジャを含む。プランジャは、典型的には、中空円筒体の内面を封止する。その結果、中空円筒体内でのプランジャの移動を、シリンジを用いて材料を充填および／または分配するために使用することができる。
【０００３】
工場でまたはユーザによってシリンジに材料が詰め込まれるときには、バレル内のプランジャと材料(例えば、液体またはペースト）との間から空気を除去する際に問題が起こる。例えば、材料と共に空気が分配されることで、正確な用量を、特にその用量が非常に少ない場合に正確に分配するのが困難になることがある。さらに、圧縮空気を閉じ込めたシリンジは、プランジャにかかる圧力が圧縮空気のためにゆるめられた後に材料を分配する傾向にあり、結果として材料が滲み出したり漏れたりする。
【発明の開示】
【発明が解決しようとする課題】
【０００４】
プランジャがシリンジバレルに挿入されるときにこの空気を逃すために、様々なプランジャ構造が開発されてきた。しかしながら、これらの構造により、その材料がシリンジバレルの分配端部からプランジャを介して逃げることができるため、これらの構造の多くは、低粘度の材料ではうまく機能しない。その結果、ユーザは、真空状態下でシリンジを充填する手段を取ってきたが、これは費用がかかり時間もかかる。さらに、プランジャ構造の中には、プランジャに前方向に圧力をかけるときのみ封止するものもある。したがって、使用中プランジャの移動が逆になれば、空気がシリンジバレル内に引き戻されることがある。
【課題を解決するための手段】
【０００５】
本発明は、セルフベンティング可動シール（self-venting movable seal）およびプランジャアセンブリを提供する。本発明はまた、アセンブリを使用して材料を分配する方法も提供する。アセンブリは、可動シールおよびプランジャチップを含み、それにより好ましくない流体を円筒ディスペンサー、たとえばシリンジから除去することができる。
【０００６】
本発明によって提供される利点の中には、分配されるべき材料とシールとの間に閉じ込められる好ましくない流体を、円筒ディスペンサーから除去することができるということがある。アセンブリを中空円筒体内に予め組み立て、後にユーザが充填することも可能であり、あるいはユーザが、最初に中空円筒体に材料を充填し、次にそれにアセンブリを挿入することもできる。
【０００７】
一態様では、本発明は、第１開口部および第２開口部を含む中空円筒体と、ベント部およびプランジャチップポケットを含むシールと、少なくとも一つのベント溝を含むプランジャチップとを提供することによって、中空円筒体に材料を充填している間に、閉じ込められた流体を中空円筒体から逃す方法を提供する。本発明は、さらにシールを中空円筒体に挿入するステップを含み、ボリューム部は、中空円筒体内の、シールと中空円筒体の第２開口部との間に画定され、かつさらにボリューム部は流体を含有する。この方法は、さらに中空円筒体の第２開口部を介して、中空円筒体に材料を充填するステップであって、材料がボリューム部を占めるにつれて、ボリューム部内の流体がシールのベント部を介して逃される、ステップと、中空円筒体の第１開口部を介して、プランジャチップを中空円筒体に挿入するステップと、プランジャチップを、シールのプランジャチップポケット内に着座させるステップであって、プランジャチップは、プランジャチップがプランジャチップポケット内に着座されるときベント部を塞ぎ、かつさらにプランジャチップポケット内の流体は、プランジャチップがプランジャチップポケット内に着座されている間に、プランジャチップの少なくとも一つのベント溝を介して逃げる、ステップとを含む。
【０００８】
他の態様では、本発明は、第１開口部および第２開口部を含む中空円筒体と、ベント部およびプランジャチップポケットを含むシールと、少なくとも一つのベント溝を含むプランジャチップとを提供することによって、中空円筒体に材料を充填している間に、閉じ込められた流体を中空円筒体から逃す方法を提供する。この方法は、さらに中空円筒体に材料を充填するステップと、シールを中空円筒体に挿入するステップであって、ボリューム部は、中空円筒体内の、シールと中空円筒体の第２開口部との間に画定され、ボリューム部は流体を含有し、かつさらにボリューム部内の流体は、シールが中空円筒体に挿入されるにつれて、シールのベント部を介して逃される、ステップとを含む。この方法は、さらに中空円筒体の第１開口部を介して、プランジャチップを中空円筒体に挿入するステップと、プランジャチップをシールのプランジャチップポケット内に着座させるステップであって、プランジャチップは、プランジャチップがプランジャチップポケット内に着座されるときベント部を塞ぎ、かつさらにプランジャチップポケット内の流体は、プランジャチップがプランジャチップポケット内に着座されている間に、プランジャチップの少なくとも一つのベント溝を介して逃げる、ステップとを含む。
【０００９】
他の態様では、本発明は、セルフベンティング可動シールおよびプランジャアセンブリを提供し、該アセンブリは、第１開口部および第２開口部を含む中空円筒体と；可動シールであって、プランジャチップポケットと、第１端部および第２端部であって、ボリューム部は、可動シールが中空円筒体内に位置決めされるとき、中空円筒体内の、シールの第２端部と中空円筒体の第２開口部との間に画定される、第１端部および第２端部と、プランジャチップポケットと可動シールの第２端部との間を延びるベント部であって、プランジャチップポケットは、可動シールが中空円筒体内に位置決めされるときボリューム部と流体連通している、ベント部とを含む、可動シールと；少なくとも一つのベント溝を含むプランジャチップであって、プランジャチップは、可動シールのプランジャチップポケット内に着座されるように構成され、プランジャチップは、プランジャチップがプランジャチップポケット内に着座されるとき可動シール内のベント部を塞ぎ、かつさらにプランジャチップポケット内の流体は、プランジャチップがプランジャチップポケット内に着座されるにつれて、プランジャチップ内の少なくとも一つのベント溝を介して逃げる、プランジャチップとを含む。
【００１０】
他の態様では、本発明は、セルフベンティング可動シールおよびプランジャアセンブリを提供し、該アセンブリは、第１開口部および第２開口部を含む中空円筒体と；可動シールであって、プランジャチップポケットと、第１端部および第２端部であって、ボリューム部は、可動シールが中空円筒体内に位置決めされるとき、中空円筒体内の、シールの第２端部と中空円筒体の第２開口部との間に画定される、第１端部および第２端部と、プランジャチップポケットと可動シールの第２端部との間を延びるベント部であって、プランジャチップポケットは、可動シールが中空円筒体内に位置決めされるときボリューム部と流体連通している、ベント部と、少なくとも一対の保持プラグ差込口（receptacle）とを含む、可動シールと；プランジャチップであって、少なくとも一つのベント溝と、少なくとも一対の保持プラグであって、プランジャチップは、可動シールのプランジャチップポケット内に着座されるように構成され、プランジャチップは、プランジャチップがプランジャチップポケット内に着座されるとき可動シールのベント部を塞ぎ、プランジャチップポケット内の流体は、プランジャチップがプランジャチップポケット内に着座されるにつれて、プランジャチップの少なくとも一つのベント溝を介して逃げ、かつさらに少なくとも一対の保持プラグは、可動シールの少なくとも一対の保持プラグ差込口に嵌合するように構成される、少なくとも一対の保持プラグとを含む、プランジャチップとを含む。
【００１１】
本発明のこれらおよびその他の特徴および利点は、本発明のいくつかの例示的な実施形態に関連して以下でより詳細に説明されよう。
【発明を実施するための最良の形態】
【００１２】
本発明は、閉じ込められた流体を中空円筒体から逃すことができるセルフベンティング可動シールおよびプランジャ、ならびにそれを使用する方法を提供する。
【００１３】
用語「材料」は、本明細書で用いられる際、ディスペンサー、たとえばシリンジ等から分配されることがある材料をも包含するように用いられる。使用される材料の中に、シーラント、接着剤、またはエッチング剤が含まれるほうが好ましいだろう。
【００１４】
本明細書で用いられる際の用語「流体」は、本発明のシールと中空円筒体から分配されるべき材料との間に閉じ込められ得る、たとえば空気等の気体および水等の低粘度液体を含めた、いかなる好ましくない流体をも含む。
【００１５】
図１Ａ〜図１Ｃは、本発明によるセルフベンティング可動シールおよびプランジャアセンブリ１０の例示的な一実施形態を示す。アセンブリ１０は、中空円筒体１２を含み、それは可動シール２０およびプランジャチップ３０を受ける。中空円筒体１２は、たとえばシリンジのバレルであってもよい。
【００１６】
中空円筒体１２は、一般に円筒であるが、材料をそれから分配することができる任意の好適な断面形状、たとえば八角形、四角形、楕円形等を取ってもよい。
【００１７】
中空円筒体１２は、第１開口部１４および第２開口部１６を含む。第１開口部１４は、好ましくは可動シール２０の挿入が可能であるように構成され、一方第２開口部１６は、材料を中空円筒体１２から分配することができるように構成される。第２開口部１６は、たとえば分配されるべき材料の粘度、分配された材料の所望量等によっては任意の好適な直径であってもよい。中空円筒体１２は、当業界で公知の任意の好適な材料、たとえば高分子材料、ガラス、金属等を用いて製造されてもよい。
【００１８】
中空円筒体１２内には、可動シール２０が位置決めされる。可動シール２０は、ベント部２２、プランジャチップポケット２４、および少なくとも一つの環状シールリング２８（図示された２０は、３つのシールリング２８を含む）。シール２０は、さらに第１端部２６ａおよび第２端部２６ｂを含む。第１端部２６ａは、任意の輪郭を取ってもよく、一方第２端部２６ｂは好ましくは凹形状であってもよい。凹形第２端部２６ｂにより、円筒体１２が図１Ａに示されているように直立に保持されているときには、閉じ込められた流体が、より容易にベント部２２を介して逃げることができる。シール２０を製造するために、当業界で公知の任意の好適な材料、たとえばゴム、高分子材料等が使用されてもよい。
【００１９】
ボリューム部１８は、中空円筒体１２内の、可動シール２０と中空円筒体１２の第２開口部１６との間に画定される。
【００２０】
ベント部２２は、好ましくはシール２０の第２端部２６ｂのほぼ中心に位置決めされ、かつ分配されるべき材料の特徴に従って大きさが決定されてもよい。たとえば、より高粘度の材料では、より長い直径のベント部２２が許容されてもよく、それに対してより低粘度の材料では、より小さい直径のベント部２２が要求されてもよい。ベント部２２は、低粘度材料では、たとえば０．０１〜０．０２ｃｍの直径であるのが好ましいだろう。
【００２１】
さらに、ベント部２２は、流体がシールの第２端部２６ｂから第１端部２６ａまで逃げることができる任意の形状であってもよい。たとえば、ベント部２２は、図１Ａに示されているようにまっすぐであってもよく、あるいはベント部２２は、より曲がりくねった経路をたどってもよく、それにより流体は、分配されるべき材料が逃げるのを防ぎつつ逃げることができる。本発明のシール２０は、単一のベント部２２として示されているが、シール２０の第２端部２６ｂから第１端部２６ａまで流体を逃すための複数のベント部を含んでもよい。
【００２２】
シール２０はまた、プランジャチップポケット２４を含んでもよく、それはプランジャチップ３０を受けるように構成される。プランジャチップポケット２４は、リップ部２４ａを含んでもよく、それによりプランジャチップ３０は、プランジャチップ３０がプランジャチップポケット２４内に着座されるとき、プランジャチップポケット２４に係止しまたはそれに機械的に係合することができる。プランジャチップポケット２４は、プランジャチップ３０を受けかつ着座させることができる任意の形状であってもよい。
【００２３】
シール２０の外面の周りに、少なくとも一つの環状シールリング２８が位置決めされる。シール２０は、３つのリングを有するものとして図１Ａに示されているが、任意の数の環状シールリング２８を有してもよい。環状シールリング２８は、シール２０が中空円筒体１２内に分配されるべき材料を封止するように、中空円筒体１２よりわずかに大きい直径であるような大きさにされてもよい。シール２０は、中空円筒体１２とシール２０との間の全体摩擦が、所望のシールをなお維持しつつ減じられるように、複数の環状シールリング２８を含むほうが好ましいだろう。
【００２４】
本発明のアセンブリ１０は、プランジャチップ３０をさらに含み、それはシール２０のプランジャチップポケット２４に嵌合するように構成される。プランジャチップ３０は、図１Ｂおよび図１Ｃに示されているように、少なくとも一つのベント溝３４を含む。その少なくとも一つのベント溝３４により、プランジャチップポケット２４に閉じ込められている可能性がある流体は、プランジャチップ３０がプランジャチップポケット２４内に着座されている間に逃げることができる。さらに、プランジャチップ３０は、分配されるべき材料の方へシール２０を移動させるために使用されてもよい。任意の好適な形状のプランジャチップ３０が用いられてもよいが、プランジャチップ３０が、プランジャチップポケット２４に係止するかまたはそれに機械的に係合するように成形されるほうが好ましいだろう。プランジャチップ３０は、着座されると、材料が分配されている間にプランジャチップポケット２４を介して材料が逃げないように、ベント部２２を塞ぐ。
【００２５】
プランジャチップ３０は、当業界で公知の任意の好適な材料、たとえばゴム、高分子材料等から製造されてもよい。さらに、プランジャチップ３０は、取手（図示せず）に連結されてもよく、それによりユーザは、プランジャチップ３０をプランジャチップポケット２４内に着座させ、かつ材料が中空円筒体１２の第２開口部１６を介して分配されるようにアセンブリ１０に分配力をかけることができるだろう。
【００２６】
図２は、本発明によるセルフベンティング可動シールおよびプランジャアセンブリ１００の他の実施形態を示す。多くの点で、アセンブリ１００は、図１Ａ〜図１Ｃのアセンブリ１０に類似している。アセンブリ１００は、中空円筒体１１２、可動シール１２０、およびプランジャチップ１３０を含む。プランジャチップ１３０は、シール１２０のプランジャチップポケット１２４内に着座され、かつシール１２０のベント部１２２を塞ぐように設計されている。
【００２７】
アセンブリ１００と図１Ａ〜図１Ｃのアセンブリ１０との差異の中には、少なくとも一対の保持プラグ差込口１２６および少なくとも一対の保持プラグ１３４がある。図２に示されているように、シール１２０は、少なくとも一対の保持プラグ差込口１２６を含み、それらはプランジャチップ１３０に含まれる少なくとも一対の保持プラグ１３４を受けるように構成される。少なくとも一対の保持プラグ１３４は、プランジャチップ１３０をプランジャチップポケット１２４に係合する必要なく、プランジャチップ１３０をプランジャチップポケット１２４内に完全に着座させる前にプランジャチップ１３０をシール１２０に取り付けられうるように構成される。少なくとも一対の保持プラグ１３４は、任意の好適な取り付け方法を使用してもよいが、少なくとも一対の保持プラグ差込口１２６に挿入されると摩擦が生じるように構成される。さらに、少なくとも一対の保持プラグ１３４および少なくとも一対の保持プラグ差込口１２６は、プランジャチップ１３０に関連してシール１２０を保持する構造の一例にすぎない。
【００２８】
少なくとも一対の保持プラグ１３４および少なくとも一対の保持プラグ差込口１２６により、プランジャチップ１３０は、ベント部１２２を開いたままにしつつ、シール１２０と共に予め組み立てることができる。材料を分配すべきときには、プランジャチップ１３０は、プランジャチップ１３０がベント部１２２を塞ぐようにプランジャチップポケット１２４内に完全に着座され、このようにして材料がシール１２０を介して逃げないようにする。さらに、プランジャチップ１３０は、材料を分配する際に、可動シール１２０に係止するかまたはそれと機械的に係合してもよい。
【００２９】
中空円筒体が本発明のアセンブリを使用して充填されている間に、閉じ込められた流体を中空円筒体から逃す一つの方法を、図３Ａ〜３Ｂを参照して説明することができる。中空円筒体２１２およびシール２２０を含む、セルフベンティング可動シールおよびプランジャアセンブリ２００は、上述したように設けられる。アセンブリ２００は、中空円筒体２１２の第１開口部２１４を介して、シール２２０を中空円筒体２１２に挿入することによって使用される。
【００３０】
アセンブリ２００を、次に中空円筒体２１２の第２開口部２１６を介して、中空円筒体２１２に分配されるべき材料２４０を充填することにより準備する。材料２４０およびシール２２０は、ボリューム部２１８を、円筒体２１２内の、それらの間に画定してもよい。材料２４０が、中空円筒体２１２を上って第１開口部２１４の方へ移動するにつれて、ボリューム部２１８に位置決めされる流体は、材料２４０がボリューム部２１８を占めるにつれて、シール２２０のベント部２２２を介して逃げる。
【００３１】
シール２２０は、ボリューム部２１８が、所望の量の材料２４０を分配するにはあまりに小さすぎるほど低ければ、図３Ｂに示されているように、材料２４０は、中空円筒体２１２の第２開口部２１６から第１開口部２１４の方へシール２２０を移動させてもよい。そのような状況では、ベント部２２２は、シール２２０が材料２４０によって中空円筒体２１２内で移動されるにつれて、材料２４０がベント部２２２を通過するのを妨げるかまたは最小にするような大きさにされるかあるいはそのように構成される。
【００３２】
プランジャチップ２３０は、次にシール２２０のプランジャチップポケット２２４に挿入されてもよい。材料２４０およびベント部２２２の背圧により、プランジャチップ２３０を、材料２４０がシールのベント部２２２から漏れることなく、プランジャチップポケット２２４に導入することができる。プランジャチップ２３０をプランジャチップポケット２２４内に着座させるのに必要な力は、好ましくは、材料２４０がベント部２２２を通過するのに必要な力より小さい。プランジャチップ２３０は、プランジャチップポケット２２４内に着座されると、ベント部２２２を塞ぎ、それによって材料２４０が、ベント部２２２を介してプランジャチップポケット２２４へ逃げないようにする。
【００３３】
プランジャチップ２３０は、着座されると、プランジャチップ２３０およびシール２２０が、中空円筒体２１２内でいずれかの方向に移動するために取り付けられるように、プランジャチップポケット２２４に係止するかまたはそれに機械的に係合してもよい。これにより、シール２２０は、ユーザによって伸縮することができる。シール２２０が伸縮されるとき、負圧がボリューム部２１８内に発生されることがある。
【００３４】
中空円筒体に材料が充填されている間に、閉じ込められた流体を中空円筒体から逃す代替的方法も、図４を参照して説明する。ここで、中空円筒体３１２を、まず中空円筒体３１２に分配すべき材料３４０を充填することにより準備する。
【００３５】
シール３２０は、次に第１開口部３１４を介して中空円筒体３１２に挿入され、このようにしてボリューム部３１８を、シール３２０と中空円筒体３１２の第２開口部３１６との間に画定する。シール３２０が、中空円筒体３１２に挿入されかつ材料３４０の方へ進められるにつれて、ボリューム部３１８に位置決めされるいかなる流体も、シール３２０のベント部３２２を介して逃される。
【００３６】
プランジャチップ３３０は、次に第１開口部３１４を介して中空円筒体３１２内に着座され、かつシール３２０のプランジャチップポケット３２４内に着座されてもよい。プランジャチップ３３０は、着座されると、ベント部３２２を塞ぎ、このようにして材料３４０が、ベント部３２２を介してプランジャチップポケットへ逃げないようにする。プランジャチップ３３０は、着座されると、上述したように、プランジャチップポケット３２４に係止するかまたはそれに機械的に係合してもよい。
【００３７】
本明細書で引用したすべての参考文献および刊行物は、その内容全体が参照により本明細書に明示的に援用される。本発明の例示的な実施形態を説明し、かつ本発明の範囲内で可能な変更を参照してきた。本発明のこれらおよびその他の変更および修正は、本発明の範囲を逸脱することなく当業者に明らかとなり、かつ本発明は、本明細書で述べた例示的な実施形態には限定されないということを理解されたい。よって、本発明は冒頭に記載の特許請求の範囲によってのみ限定されるべきである。
【図面の簡単な説明】
【００３８】
【図１Ａ】本発明の一つのセルフベンティング可動シールおよびプランジャアセンブリの断面図である。
【図１Ｂ】図１Ａのプランジャチップの線１Ｂに沿った断面図である。
【図１Ｃ】図１Ａのプランジャチップの側面図である。
【図２】本発明の代替的実施形態の断面図である。
【図３Ａ】本発明の一つのセルフベンティング可動シールおよびプランジャアセンブリの使用を図示している。
【図３Ｂ】本発明の一つのセルフベンティング可動シールおよびプランジャアセンブリの使用を図示している。
【図４】本発明の一つのセルフベンティング可動シールおよびプランジャアセンブリの他の使用を図示している。
【図１Ａ】
2005514117.tif 000003
【図１Ｂ】
2005514117.tif 000004
【図１Ｃ】
2005514117.tif 000005
【図２】
2005514117.tif 000006
【図３Ａ】
2005514117.tif 000007
【図３Ｂ】
2005514117.tif 000008
【図４】
2005514117.tif 000009
【国際調査報告】
2005514117.tif 000010
2005514117.tif 000011
2005514117.tif 000012